(57)【要約】【課題】断熱性能及び防湿性能が向上される建物の断熱構造を提供する。【解決手段】断熱材４６は、袋体４８に繊維系断熱材料が充填されていると共に、袋体の一方の面に防湿フィルム５０が設けられている。また、断熱材４４は、袋体４４Ａに繊維系断熱材料が充填されている。断熱材４６は、防湿フィルム５０側が天井板３０側に向けられて、天井板３０上に緊密に敷き詰められていると共に、防湿フィルム５０が天井大梁２４に緊密に接するように設けられて、防湿フィルム５０によりウエブ３６Ａの貫通孔を閉塞するように天井大梁２４を囲っている。断熱材４４は、断熱材４６上に敷き詰められて断熱材４６を覆っている。これにより、天井部３２の断熱性能の向上が図られると共に、天井大梁２４の貫通孔を湿気が抜けるのが抑制されて、防湿性能の向上が図られる。【選択図】図２
2018087409.tif 000002
【特許請求の範囲】
【請求項１】
建物の小屋裏に配設され、ウエブに貫通孔が設けられた大梁と、
前記大梁の下側に設けられた天井板と、
繊維系断熱材料が充填された袋体の一方の面に防湿フィルムが設けられ、前記防湿フィルムが前記天井板の上面に向けられて前記天井板上に敷き詰められると共に、前記防湿フィルムが前記大梁の表面に接触されることで、前記防湿フィルムにより前記貫通孔を塞いで前記大梁を囲う第１断熱材と、
繊維系断熱材料が用いられ、前記第１断熱材上に敷き詰められて前記第１断熱材の上面の全域を覆う第２断熱材と、
を含む建物の断熱構造。
【請求項２】
互いに隣接する前記第１断熱材の境界部分の上側を前記第２断熱材により覆っている請求項１に記載の建物の断熱構造。
【請求項３】
前記第２断熱材が前記建物の既存の断熱材である請求項１又は請求項２に記載の建物の断熱構造。
【発明の詳細な説明】
【技術分野】
【０００１】
本発明は、建物の断熱構造に関し、詳細には、建物の小屋裏及び下屋の断熱構造に関する。
【背景技術】
【０００２】
住宅等の建物においては、室内（屋内）と屋外との間に断熱材により断熱施工されることで、暖冷房におけるエネルギー消費を抑制できる（省エネ効果が得られる）。建物の小屋裏の断熱施工においては、繊維系断熱材が多用されており、天井板の小屋裏側に断熱材が敷かれるが、断熱施工された小屋裏においては、室内の湿気により小屋裏内の断熱材に結露が生じてしまうことがある。
【０００３】
ここで、引用文献１には、２層に重ねた無機質繊維マットの間に第１の防湿フィルムを配置すると共に、２層に重ねられた無機質繊維マットの一方を第２の防湿フィルムにより覆った無機質繊維系断熱材が記載されている。引用文献１の無機質繊維系断熱材を用いた断熱施工は、外壁内等において第２の防湿フィルムを室内側として無機質繊維系断熱材を充填するようにしている。
【先行技術文献】
【特許文献】
【０００４】
【特許文献１】特開２０００−３５２１３０号公報
【発明の概要】
【発明が解決しようとする課題】
【０００５】
ところで、建物には、小屋裏内に溝型鋼などを用いた天井大梁が設けられており、天井大梁には、所望の強度を確保しつつ重量を軽減するための軽減孔や電気配線を通す孔などの貫通孔が設けられていることがある。このような天井大梁が設けられていると、貫通孔から湿気が抜けてしまうことで所望の防湿性能が得られなくなり、断熱材の間や断熱材内部に結露が生じる可能性が高くなってしまう。
【０００６】
本発明は上記事実に鑑みてなされたものであり、階上の天井の断熱性能及び防湿性能を向上できる建物の断熱構造を提供することを目的とする。
【課題を解決するための手段】
【０００７】
上記目的を達成するために本発明の第１の態様は、建物の小屋裏に配設され、ウエブに貫通孔が設けられた大梁と、前記大梁の下側に設けられた天井板と、繊維系断熱材料が充填された袋体の一方の面に防湿フィルムが設けられ、前記防湿フィルムが前記天井板の上面に向けられて前記天井板上に敷き詰められると共に、前記防湿フィルムが前記大梁の表面に接触されることで、前記防湿フィルムにより前記貫通孔を塞いで前記大梁を囲う第１断熱材と、繊維系断熱材料が用いられ、前記第１断熱材上に敷き詰められて前記第１断熱材の上面の全域を覆う第２断熱材と、を含む。
【０００８】
第１の態様では、大梁の下側に天井板が設けられている。また、大梁には、ウエブに貫通孔が設けられて、貫通孔により所望の強度を維持しつつ重量が軽減されたり、電気配線の配索に用いられたりする。第１断熱材は、袋体に繊維系断熱材料が充填されていると共に、袋体の一方の面に防湿フィルムが設けられている。また、第２断熱材は、繊維系断熱材料が用いられており、第１断熱材と同様に袋体に繊維系断熱材料が充填されたものを適用できる。
【０００９】
第１断熱材は、防湿フィルムが天井板に向けられて天井板上に敷き詰められていると共に、防湿フィルムが大梁側に向けられて大梁を囲っている。また、第１断熱材は、防湿フィルムが大梁の表面に接触するように大梁を囲って、防湿フィルムにより貫通孔を塞いでいる。第２断熱材は、第１断熱材の上に敷き詰められる。
【００１０】
これにより、第１断熱材及び第２断熱材により２層の断熱構造とされて、断熱性能が向上される。これと共に、第１断熱材に設けられた防湿フィルムが天井面及び大梁の表面を覆って、天井板の下側の空間の湿気が小屋裏に入り込んで結露が生じるのを抑制できる。
【００１１】
一方、大梁は、天井板上に敷き詰められた断熱材から突出しており、この大梁の上に断熱材を載せるようにした場合、大梁に設けられた貫通孔を通った湿気が、断熱材の間や断熱材の内部に入り込んで結露してしまう可能性がある。ここで、大梁の貫通孔を防湿フィルムにより塞ぐように第１断熱材により大梁を囲うことで、湿気が貫通孔を通るのを抑制できるので、第１断熱材に結露が生じるのを抑制できて、防湿性能の向上が図られる。
【００１２】
第２の態様は、第１の態様において、互いに隣接する前記第１断熱材の境界部分の上側を前記第２断熱材により覆っている。
【００１３】
第２の態様では、第１断熱材同士の境界部を第２断熱材により覆っている。即ち、第１断熱材同士の境界部分と第２断熱材同士の境界部分とが重ならないようにして、第１断熱材を第２断熱材により覆っている。これにより、第１断熱材同士の境界部分、及び第２断熱材同士の境界部分を熱や湿気が通るのを抑制できて、断熱性能及び防湿性の向上が図られる。
【００１４】
第３の態様は、第１又は第２の態様において、前記第２断熱材が前記建物の既存の断熱材である。
【００１５】
第３の態様では、第２断熱材として既存の断熱材を用い、第１断熱材に第２断熱材に重ねている。断熱材を２層に重ねる際に、既存の断熱材を用いることで、コストの上昇を抑えながら断熱性を向上できる。また、既存の断熱材の防湿性能が低下していても、防湿フィルムが設けられた第１断熱材が用いられることで、防湿性能の向上が図られる。
【発明の効果】
【００１６】
以上説明したように第１の態様によれば、階上の天井の断熱性能及び防湿性能が向上される、という効果を有する。
【００１７】
第２の態様によれば、防湿性及び断熱性を向上できる、という効果を有する。また、第３の態様によれば、低コストで所望の断熱性及び防湿性が得られる、という効果を有する。
【図面の簡単な説明】
【００１８】
【図１】本実施の形態に係る建物の概略構成を示す主要部の斜視図である。
【図２】本実施の形態に係る天井の主要部を示す概略断面図である。
【図３】一般的な天井を示す図２と同様の概略断面図である。
【図４】天井大梁の主要部を示す斜視図である。
【発明を実施するための形態】
【００１９】
以下に、図面を参照しながら本発明の実施の形態を詳細に説明する。
【００２０】
本実施の形態に係る建物１０は、ユニット式住宅（ユニット式の建物）とされている。図１には、建物１０及び建物１０を形成する居住空間用のユニット１２の概略が斜め上方から見た斜視図にて示されている。
【００２１】
建物１０は、２階建てとされており、複数のユニット１２が、水平方向（縦横）に配列されていると共に、上下（上下２段）に重ねられて、縦横及び上下に隣接するユニット１２が互いに連結されている。これにより、建物１０では、下側に配列されたユニット１２により１階（階下）部分が構成され、上側に配列されたユニット１２により２階（階上）部分が構成されている。また、建物１０は、階上に配列されたユニット１２の上部に勾配式の屋根１４が形成されている。これにより、建物１０では、階上のユニット１２の上部に小屋裏１６が形成されている。
【００２２】
ユニット１２には、４本のフレーム側柱１８が設けられており、４本のフレーム側柱１８の上部に天井フレーム２０が形成されると共に、４本のフレーム側柱１８の下部に床フレーム２２が形成されている。天井フレーム２０には、大梁としての４本の天井大梁２４が設けられている。天井大梁２４は、一対の桁天井大梁２４Ａ及び一対の妻天井大梁２４Ｂを含む。天井フレーム２０は、桁天井大梁２４Ａ及び妻天井大梁２４Ｂの各々の端部がフレーム側柱１８の上部の接合部材１８Ａに剛接合されて矩形枠状に組まれている。また、天井フレーム２０には、一対の桁天井大梁２４Ａの間に、各々が妻天井大梁２４Ｂと並行にされた複数の天井小梁２６が配置されており、天井フレーム２０は、天井小梁２６の各々の端部が桁天井大梁２４Ａに接合されて略梯子状に形成されている。
【００２３】
床フレーム２２は、一対の桁床大梁２８Ａ及び一対の妻床大梁２８Ｂの端部がフレーム側柱１８の下部の接合部材１８Ｂに剛接合されて矩形枠状とされている。また、床フレーム２２の桁床大梁２８Ａの間には、各々が妻床大梁２８Ｂと並行にされた複数の床小梁２８Ｃが配置されており、床小梁２８Ｃの各々の端部が桁床大梁２８Ａに接合されている。
【００２４】
屋根１４は、階上部分のユニット１２上に設けられて、ユニット１２に連結されている。屋根１４としては、切妻屋根、寄棟屋根、片流れ屋根などの任意の形態を適用できる。
【００２５】
建物１０は、ユニット１２の内部が間仕切り壁により区画されることで、廊下、物入れなどの小部屋が形成される共に、水平方向に配列された複数のユニット１２が連通されることで、１つのユニット１２よりも広い居住空間となる居室等が形成される。
【００２６】
建物１０は、ユニット１２の天井フレーム２０に設けられた天井小梁２６を天井下地として又は天井大梁２４（桁天井大梁２４Ａ、妻天井大梁２４Ｂ）及び天井小梁２６の下側に設けられた野縁を天井下地として天井板３０が固定されて天井部３２が形成される。また、建物１０は、ユニット１２の床フレーム２２の床小梁２８Ｃを床下地として又は床小梁２８Ｃに配置された図示しない根太を床下地として、床下地の上に床板３４が敷き詰められて床が形成される。
【００２７】
この建物１０は、図示しない外壁の屋外側の外壁パネルと屋内側の内装パネルとの間に断熱材が設けられる。また、建物１０の床は、床フレーム２２に配置した根太の間に断熱材が敷き詰めされて、断熱材の上に複数枚の板材（床板３４）が重ねられて根太に固定される。なお、外壁及び床の断熱構造は、公知の構造を適用できる。
【００２８】
また、建物１０は、階上の天井部３２が断熱施工されている。これにより、建物１０は、屋内の略全周に渡って断熱材が設けられて、断熱材により屋内と屋外とが区画されている。
【００２９】
ここで、図２には、本実施の形態に係る断熱構造が適用された建物１０の天井部３２の概略が建物１０の側方視の断面図にて示されている。また、図３には、一般的な断熱構造が適用された天井（以下、天井部３２Ａとする）が図２と同様の断面図にて示されている。また、図４には、小屋裏１６に配置された天井大梁２４（桁天井大梁２４Ａ又は妻天井大梁２４Ｂ）の主要部が斜視図にて示されている。
【００３０】
図１に示されるように、屋根１４は、上階に配列された複数のユニット１２に跨って設けられており、これにより、小屋裏１６が複数のユニット１２の上部を連通するように形成されている。また、図２から図４に示されるように、ユニット１２の天井大梁２４（桁天井大梁２４Ａ、妻天井大梁２４Ｂ）は、溝形鋼（軽溝形鋼でも良い）が用いられている。溝形鋼は、長尺平板状（帯状）の基部（ウエブ３６Ａ）の幅方向の両端から一方向にフランジ３６Ｂが突設された断面略Ｃ形状とされており、ユニット１２の天井フレーム２０は、天井大梁２４の各々のフランジ３６Ｂが枠内側へ向けられている。なお、大梁としての天井大梁２４には、溝形鋼を用いて説明するが、大梁は、これに限らずＨ形鋼などの他の鋼材や鋼材を加工したものであっても良い。
【００３１】
これにより、図２から図３に示されるように、互いに隣接するユニット１２の間では、天井大梁２４のウエブ３６Ａのフランジ３６Ｂとは反対側の面が、所定の間隔を隔てて対向されている（天井大梁２４が背中合わせで対向されている）。また、ユニット１２が隣接するユニット１２に締結固定されていることにより、背中合わせで対向されている２本の天井大梁２４が一体化されている。
【００３２】
また、ユニット１２では、天井大梁２４の各々のウエブ３６Ａに貫通孔としての軽減孔３８が形成されている。軽減孔３８は、天井大梁２４のウエブ３６Ａの所定位置に一つ又は複数（２つ以上）が所定の開口径で貫通形成されている。なお、図４では、一方の天井大梁２４の軽減孔３８が図示され、他方の天井大梁２４の軽減孔３８の図示が省略されている。
【００３３】
天井大梁２４は、軽減孔３８が設けられることで、所定の強度（必要強度）を確保しつつ軽量化されており、これにより、ユニット１２は、所定の強度及び剛性が確保された状態で軽量化されている。また、天井大梁２４に設けられた軽減孔３８は、小屋裏１６内（天井板３０上）を配索される電気配線等を通すのに用いることができる。
【００３４】
図２及び図３に示されるように、建物１０は、天井フレーム２０の桁天井大梁２４Ａ及び妻天井大梁２４Ｂの一方（例えば、桁天井大梁２４Ａ）に並行とされた複数の野縁４０が所定の間隔で配置されている。野縁４０は、天井大梁２４及び天井小梁２６に固定されており、野縁４０の各々に天井板３０が固定されている。これにより、天井板３０により小屋裏１６と小屋裏１６の下側の居室などの居室空間４２とが区画されている。なお、居室空間４２は、複数のユニット１２に跨って形成される居室のみならず、天井大梁２４の下側（又は天井板３０の下側）に設けられた図示しない内壁により区画されて物入れなどの小部屋が形成される。
【００３５】
図３に示されるように、天井部３２Ａには、第２断熱材としての断熱材４４が用いられている。断熱材４４には、少なくとも繊維系断熱材料が用いられており、断熱材４４は、繊維系断熱材料が所定の大きさ（例えば、幅５００ｍｍ、長さ２５００ｍｍ）の袋体４４Ａ内に充填されて、圧縮可能なマット状とされている。断熱材４４に用いられる繊維系断熱材料としては、グラスウール、ロックウール等の無機質繊維系断熱材料が用いられても良く、また、無機質繊維系断熱材料に限らず、木質繊維系断熱材料などの他の繊維系断熱材料が用いられても良い。
【００３６】
天井部３２Ａでは、断熱材４４が天井板３０上に並べられて敷き詰められている。また、天井部３２Ａでは、天井大梁２４に断熱材４４が載せられて、天井大梁２４が断熱材４４により覆われている。これにより、天井部３２Ａは、上方（小屋裏１６内上側）から見た平面視で天井板３０及び天井大梁２４が断熱材４４により覆われて、小屋裏１６と居室空間４２とが断熱材４４により区画されている。
【００３７】
一方、図２に示される天井部３２には、第１断熱材としての断熱材４６が用いられている。断熱材４６は、所定の大きさ（例えば、幅が約５００ｍｍ、長さが約２５００ｍｍ）の袋体４８に、グラスウール、ロックウール等の無機質繊維系断熱材料が充填されて、圧縮可能なマット状とされている。断熱材４６に用いられる繊維系断熱材料としては、無機質繊維系断熱材料に限らず、木質繊維系断熱材料などの他の繊維系断熱材料が用いられても良いが、無機質繊維系断熱材料を用いることで低コスト化を図れる。
【００３８】
断熱材４６としては、熱伝導率が小さいことが好ましく、例えば、ＪＩＳ  Ａ９５２１に規定される熱伝導率λが０．０６５（Ｗ／ｍＫ）以下のものを適用できるが、これに限らない。
【００３９】
また、断熱材４６には、袋体４８の一方の面に防湿フィルム５０が設けられている。防湿フィルム５０は、袋体４８の一方の面に貼付されていても良く、また、防湿フィルム５０が袋体４８の一方の面を形成していても良い。
【００４０】
防湿フィルム５０としては、透湿抵抗が小さいよりも大きい方が湿気を通し難く好ましく、例えば、ＪＩＳ  Ｚ０２０８に規定される透湿抵抗Ｒが、０．０８２（ｍ２・ｓ・Ｐａ／ｎｇ）以上の防湿性能のものが適用される。なお、断熱材４６は、天井部３２に要求される断熱性能や透湿性能（防湿性能）などが満たされる熱伝導率及び透湿抵抗とされたものが用いられる。
【００４１】
天井部３２は、防湿フィルム５０が天井板３０側（下側）に向けられた状態で天井板３０上に敷き詰められる。また、断熱材４６は、防湿フィルム５０が天井大梁２４に向けられた状態で、天井大梁２４を包むように天井大梁２４の表面に接触される。また、天井部３２では、断熱材４６に重ねて断熱材４４等が敷き詰められる。これにより、天井部３２は、二層の断熱構造とされる。
【００４２】
ここで、本実施の形態の作用として、建物１０を断熱材４４が用いられた一層の断熱構造（天井部３２Ａ）とされた既存の建物として、建物１０の断熱構造を二層に改修する断熱施工を説明する。
【００４３】
既存の建物１０において断熱改修を行う場合、小屋裏１６内で作業される。小屋裏１６が設けられた天井部３２Ａには、点検口（図示省略）が設けられていることが多く、建物１０に点検口が設けられている場合、点検口から小屋裏１６内に入って作業が行われる。また、建物１０に点検口が設けられていない場合、天井部３２Ａに新たに点検口を設けても良く、物入れ等の天井板３０の一部を一時的に外しても良い。
【００４４】
小屋裏１６内における作業は、最初に既存の断熱材４４を天井板３０上から一時的に撤去して天井板３０の表面（小屋裏１６側の面）を露出させる。なお、天井板３０から一時的に撤去した断熱材４４は、断熱材４６を敷くのに邪魔にならないスペースに積み上げるなどしておけば良い。
【００４５】
次に、断熱材４６を小屋裏１６内に搬入した断熱材４６を天井板３０上に敷き詰めると共に、断熱材４６により天井大梁２４を囲う。断熱材４６は、袋体４８に繊維系断熱材料が充填されており、圧縮可能となっている。また、小屋裏１６内では、互いに隣接するユニット１２の天井大梁２４が背中合わせで対向されている。
【００４６】
断熱材４６は、防湿フィルム５０が天井大梁２４側とされると共に、長手方向が天井大梁２４の長手方向に合わせられて、２本の天井大梁２４に掛け渡される。この状態から、断熱材４６の幅方向の中間部を天井大梁２４のウエブ３６Ａの間に押し込んで、断熱材４６の防湿フィルム５０を天井大梁２４の間の天井板３０の上面全域に緊密に接しさせる。これにより、断熱材４６が２本の天井大梁２４の間に折り曲げられた状態で充填されると共に、断熱材４６の幅方向の両側がフランジ３６Ｂの上面を覆ってフランジ３６Ｂの上面に接触される。また、断熱材４６に設けている防湿フィルム５０は、ウエブ３６Ａの表面に接触されると共に、天井大梁２４のウエブ３６Ａに形成されている軽減孔３８の一方の開口側を閉塞する。
【００４７】
また、天井大梁２４のフランジ３６Ｂ側に対しては、断熱材４６の防湿フィルム５０側を天井大梁２４側とすると共に、断熱材４６の端部を、フランジ３６Ｂを覆っている断熱材４６の端部に緊密に接するように配置する。この後、断熱材４６を、一対のフランジ３６Ｂの間に押し込む。これにより、一対のフランジ３６Ｂの間に断熱材４６が詰め込まれて、防湿フィルム５０が天井大梁２４のフランジ３６Ｂ側の表面に緊密に接すると共に、天井大梁２４のウエブ３６Ａに形成されている軽減孔３８の他方の開口側を閉塞する。
【００４８】
これと共に、天井板３０の上面に対しては、防湿フィルム５０側を天井板３０側に向けて断熱材４６を天井板３０上に敷き詰めする。この際、互いに隣接する断熱材４６の間に隙間が生じないようにする。また、小屋裏１６の周縁（軒側）において余剰となっている断熱材４６は、軒側の角部分に押し込むなどの処理を行う。
【００４９】
これにより、天井大梁２４の表面に防湿フィルム５０が緊密に接した状態で、天井大梁２４が断熱材４６に囲われると共に、天井大梁２４を囲う断熱材４６に連続するように、天井板３０上に緊密に断熱材４６が敷き詰められる。
【００５０】
このようにして、断熱材４６を天井板３０上に敷き詰めると共に、断熱材４６により天井大梁２４を囲うと、これらの断熱材４６の全域を断熱材４４により覆う。この際、天井大梁２４を囲っている断熱材４６を断熱材４４に覆うと共に、天井板３０を覆っている断熱材４６を覆うように断熱材４４を敷き詰めする。また、断熱材４６を断熱材４４によって覆う場合、互いに隣接する断熱材４６の間を断熱材４４に覆うように、断熱材４６同士の境界部分と断熱材４４同士の境界部分が重ならないように断熱材４４を並べる。これにより、断熱構造が、断熱材４６と断熱材４４の二層構造とされた天井部３２が形成される。
【００５１】
このように構成されている天井部３２では、断熱材４６に設けられた防湿フィルム５０により天井板３０の上面が覆われるので、居室空間４２内の湿気が小屋裏１６内に入り込むのが抑制されるので、断熱材４６、４４や小屋裏１６内で結露が生じるのを抑制できる。また、天井部３２は、断熱材４４、４６の二層構造とされているので、一層構造の場合よりも断熱性が向上される。
【００５２】
また、断熱材４４、４６を敷き詰めるとき、断熱材４６同士の境界部分と断熱材４４同士の境界部分とが重ならないようにしているので、湿気が断熱材４６同士の間を抜けてしまうのが抑制できる。これにより、断熱材４６及び断熱材４４による断熱性能を維持できると共に防湿性の向上を図れる。
【００５３】
さらに、断熱材４６は、２本の天井大梁２４の間に折り曲げられて挿入されるので、断熱材４６の弾性力により防湿フィルム５０が天井大梁２４のウエブ３６Ａ表面に緊密に接触される。これと共に、天井大梁２４は、フランジ３６Ｂの間に断熱材４６が挿入されて、防湿フィルム５０がウエブ３６Ａのフランジ３６Ｂ側の面に緊密に接触されている。これにより、天井大梁２４が断熱材４６により囲われると共に、断熱材４６の防湿フィルム５０が、天井大梁２４の軽減孔３８を塞いでいる。従って、居室空間４２内の湿気が天井大梁２４の軽減孔３８を通ってしまうのを抑制できて、軽減孔３８を通った湿気によって断熱材４６に結露が生じてしまうのを防止できる。
【００５４】
しかも、防湿フィルム５０が設けられている断熱材４６が用いられているので、防湿及び断熱施工が容易となると共に、施工コストを抑制できる。即ち、防湿フィルムと断熱材が別々であると、断熱材を天井板に敷き詰める作業に先立って、防湿フィルムを天井板３０上に張る作業が必要となるが、袋体４８の一方の面に防湿フィルム５０が設けられている断熱材４６を用いることで、防湿フィルムを貼る作業が不要となるので、断熱施工の作業工数を削減できて、施工コストを抑制できる。
【００５５】
また、既存の断熱材４４には、防湿フィルムが設けられているものあるが、既存の断熱材４４では、防湿フィルムが所望の防湿機能を維持しているか否かが不明であり、断熱材４４に設けられている防湿フィルムに劣化や損傷が生じている可能性もある。また、防湿フィルム５０が設けている断熱材４６には、防湿フィルム５０とは反対側の面に孔が設けられているものがある。このような断熱材４６や断熱材４４を用いる場合、一層であれば問題がなくとも、二層とすることで、防湿性に問題が生じることがある。これに対して、断熱材４４の下側（天井板３０及び天井大梁２４側）に、防湿フィルム５０が設けられた断熱材４６を配置していので、断熱材４６の防湿フィルム５０により所望の防湿機能を確保できる。
【００５６】
さらに、既存の断熱材４４を用いる場合、断熱性が低下していることも考えられるが、断熱材４６を設けることで、必要な断熱性能を確保できるので、２層とも新たな断熱材を用いる場合より、断熱施工のコストを抑制できる。
【００５７】
また、断熱材の間に防湿フィルムが設けられていると、防湿フィルムにより下側の断熱材に結露が生じやすくなるが、下側の断熱材４６の下側に防湿フィルム５０を配置しているので、居室空間４２内の湿気により断熱材４４、４６に結露が生じるのを抑制できる。
【００５８】
なお、以上説明した本実施の形態では、建物１０に設けられている既存の断熱材４４を用いたが、断熱材４４に代えて新たな断熱材を用いても良い。また、本実施の形態では、既存の建物１０を例に説明したが、これに限らず、新設の建物に適用しても良い。これらの場合、断熱材４４に代えて用いる断熱材としては、断熱材４６から防湿フィルム５０が除かれた断熱材を適用しても良い。また、断熱材４４に代えて用いる断熱材は、袋体に繊維系断熱材材料が充填された任意の構成の断熱材を用いることができる。
【００５９】
また、本実施の形態では、小屋裏１６の断熱施工を説明したが、小屋裏１６に限るものではない。建物には、下屋が設けられているものがあるが、小屋裏１６と同様の断熱施工を下屋に適用しても良い。これにより、建物では、下屋においても小屋裏１６と同様の断熱性及び防湿性が得られる。
【符号の説明】
【００６０】
１０    建物
１２    ユニット
１６    小屋裏
２０    天井フレーム
２４    天井大梁（大梁）
３０    天井板
３２、３２Ａ    天井部
３６Ａ    ウエブ
３８    軽減孔（貫通孔）
４４    断熱材（第２の断熱材）
４６    断熱材（第１の断熱材）
４８    袋体
５０    防湿フィルム
【図１】
2018087409.tif 000003
【図２】
2018087409.tif 000004
【図３】
2018087409.tif 000005
【図４】
2018087409.tif 000006